【手続補正書】
【提出日】平成25年9月5日(2013.9.5)
【手続補正１】
【補正対象書類名】特許請求の範囲
【補正対象項目名】全文
【補正方法】変更
【補正の内容】
【特許請求の範囲】
【請求項１】
被処理流体から水を分離する脱水装置であって、
水を分離する前の前記被処理流体を貯留する第１のタンクと、
水を分離した後の前記被処理流体が流入する第２のタンクと、
前記被処理流体から水を分離するための分離膜を有し、前記第１のタンクと前記第２のタンクとの間において前記被処理流体の流れ方向に沿って並列に配設された複数の膜容器ユニットとを備え、
前記被処理流体が、前記第１のタンクと前記第２のタンクとの間を往復するように構成され、前記被処理流体が、前記複数の膜容器ユニットを複数回通過するようになっており、
前記被処理流体を前記第１のタンクと前記第２のタンクとの間で往復させる第１のラインを備え、
前記複数の膜容器ユニットが、前記第１のラインにおいて並列に配設され、
前記被処理流体が、前記第１のライン上の前記複数の膜容器ユニットを通って前記第１のタンクから前記第２のタンクへ流れ、前記第１のタンク内の前記被処理流体が空になった後に、前記被処理流体が、前記第１のライン上の前記複数の膜容器ユニットを通って前記第２のタンクから前記第１のタンクへ流れるようになっていることを特徴とする脱水装置。
【請求項２】
被処理流体から水を分離する脱水装置であって、
水を分離する前の前記被処理流体を貯留する第１のタンクと、
水を分離した後の前記被処理流体が流入する第２のタンクと、
前記被処理流体から水を分離するための分離膜を有し、前記第１のタンクと前記第２のタンクとの間において前記被処理流体の流れ方向に沿って並列に配設された複数の膜容器ユニットとを備え、
前記被処理流体が、前記第１のタンクと前記第２のタンクとの間を往復するように構成され、前記被処理流体が、前記複数の膜容器ユニットを複数回通過するようになっており、
前記被処理流体を前記第１のタンクから前記第２のタンクへ流すための第１のラインと、
前記被処理流体を前記第２のタンクから前記第１のタンクへ流すための第２のラインとを備え、
前記複数の膜容器ユニットが、前記第１のラインにおいて並列に配設され、
前記被処理流体が、前記第１のライン上の前記複数の膜容器ユニットを通って前記第１のタンクから前記第２のタンクへ流れ、前記第１のタンク内の前記被処理流体が空になった後に、前記被処理流体が、前記第２のラインを通って前記第２のタンクから前記第１のタンクへ流れるようになっていることを特徴とする脱水装置。
【請求項３】
被処理流体から水を分離する脱水装置であって、
水を分離する前の前記被処理流体を貯留する第１のタンクと、
水を分離した後の前記被処理流体が流入する第２のタンクと、
前記被処理流体から水を分離するための分離膜を有し、前記第１のタンクと前記第２のタンクとの間において前記被処理流体の流れ方向に沿って並列に配設された複数の膜容器ユニットとを備え、
前記被処理流体が、前記第１のタンクと前記第２のタンクとの間を往復するように構成され、前記被処理流体が、前記複数の膜容器ユニットを複数回通過するようになっており、
前記被処理流体を前記第１のタンクから前記第２のタンクへ流すための第１のラインと、
前記被処理流体を前記第２のタンクから前記第１のタンクへ流すための第２のラインとを備え、
前記複数の膜容器ユニットが、前記第１のラインにおいて並列に配設された第１のユニット群と、前記第２のラインにおいて並列に配設された第２のユニット群とに分割され、
前記被処理流体が、前記第１のライン上の前記第１のユニット群を通って前記第１のタンクから前記第２のタンクへ流れ、前記第１のタンク内の前記被処理流体が空になった後に、前記被処理流体が、前記第２のライン上の前記第２のユニット群を通って前記第２のタンクから前記第１のタンクへ流れるようになっていることを特徴とする脱水装置。
【請求項４】
被処理流体から水を分離する脱水装置であって、
水を分離する前の前記被処理流体を貯留する第１のタンクと、
水を分離した後の前記被処理流体が流入する第２のタンクと、
前記被処理流体から水を分離するための分離膜を有し、前記第１のタンクと前記第２のタンクとの間において前記被処理流体の流れ方向に沿って並列に配設された複数の膜容器ユニットとを備え、
前記被処理流体が、前記第１のタンクと前記第２のタンクとの間を往復するように構成され、前記被処理流体が、前記複数の膜容器ユニットを複数回通過するようになっており、
前記被処理流体を前記第１のタンクから前記第２のタンクへ流すための第１のラインと、
前記被処理流体を前記第２のタンクから前記第１のタンクへ流すための第２のラインと、
前記第１のタンクと前記第２のタンクとの間に配置され、前記第１のラインと前記第２のラインとの両方に接続された少なくとも１つの中間タンクとを備え、
前記第１のラインが、前記中間タンクを間に挟むように複数の第１流体ラインに分割されるとともに、前記第２のラインが、前記中間タンクを間に挟むように複数の第２流体ラインに分割され、
前記複数の膜容器ユニットが、前記第１流体ライン及び前記第２流体ラインの総数と同じ数のユニット群に分割され、前記複数の膜容器ユニットの各ユニット群は、前記第１及び第２流体ラインのそれぞれにおいて並列に配設され、
前記被処理流体が、前記第１のライン上の各ユニット群と前記中間タンクとを順次通過して前記第１のタンクから前記第２のタンクへ流れ、前記被処理流体が、前記第２のライン上の各ユニット群と前記中間タンクとを順次通過して前記第２のタンクから前記第１のタンクへ流れるようになっており、
前記第２のラインは、少なくとも１つのバイパスラインを備え、該バイパスラインは、前記第２のライン上のユニット群のうち１つ以上のユニット群を迂回して前記被処理流体を前記中間タンク又は前記第１のタンクへ戻すようになっていることを特徴とする脱水装置。
【手続補正２】
【補正対象書類名】明細書
【補正対象項目名】００１４
【補正方法】変更
【補正の内容】
【００１４】
上記従来技術の有する課題を解決するために、本発明は、被処理流体から水を分離する脱水装置であって、水を分離する前の前記被処理流体を貯留する第１のタンクと、水を分離した後の前記被処理流体が流入する第２のタンクと、前記被処理流体から水を分離するための分離膜を有し、前記第１のタンクと前記第２のタンクとの間において前記被処理流体の流れ方向に沿って並列に配設された複数の膜容器ユニットとを備え、前記被処理流体が、前記第１のタンクと前記第２のタンクとの間を往復するように構成され、前記被処理流体が、前記複数の膜容器ユニットを複数回通過するようになっており、前記被処理流体を前記第１のタンクと前記第２のタンクとの間で往復させる第１のラインを備え、前記複数の膜容器ユニットが、前記第１のラインにおいて並列に配設され、前記被処理流体が、前記第１のライン上の前記複数の膜容器ユニットを通って前記第１のタンクから前記第２のタンクへ流れ、前記第１のタンク内の前記被処理流体が空になった後に、前記被処理流体が、前記第１のライン上の前記複数の膜容器ユニットを通って前記第２のタンクから前記第１のタンクへ流れるようになっている。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
また、本発明の別の態様によれば、被処理流体から水を分離する脱水装置であって、水を分離する前の前記被処理流体を貯留する第１のタンクと、水を分離した後の前記被処理流体が流入する第２のタンクと、前記被処理流体から水を分離するための分離膜を有し、前記第１のタンクと前記第２のタンクとの間において前記被処理流体の流れ方向に沿って並列に配設された複数の膜容器ユニットとを備え、前記被処理流体が、前記第１のタンクと前記第２のタンクとの間を往復するように構成され、前記被処理流体が、前記複数の膜容器ユニットを複数回通過するようになっており、前記被処理流体を前記第１のタンクから前記第２のタンクへ流すための第１のラインと、前記被処理流体を前記第２のタンクから前記第１のタンクへ流すための第２のラインとを備え、前記複数の膜容器ユニットが、前記第１のラインにおいて並列に配設され、前記被処理流体が、前記第１のライン上の前記複数の膜容器ユニットを通って前記第１のタンクから前記第２のタンクへ流れ、前記第１のタンク内の前記被処理流体が空になった後に、前記被処理流体が、前記第２のラインを通って前記第２のタンクから前記第１のタンクへ流れるようになっている。
【手続補正５】
【補正対象書類名】明細書
【補正対象項目名】００１７
【補正方法】変更
【補正の内容】
【００１７】
また、本発明の別の態様によれば、被処理流体から水を分離する脱水装置であって、水を分離する前の前記被処理流体を貯留する第１のタンクと、水を分離した後の前記被処理流体が流入する第２のタンクと、前記被処理流体から水を分離するための分離膜を有し、前記第１のタンクと前記第２のタンクとの間において前記被処理流体の流れ方向に沿って並列に配設された複数の膜容器ユニットとを備え、前記被処理流体が、前記第１のタンクと前記第２のタンクとの間を往復するように構成され、前記被処理流体が、前記複数の膜容器ユニットを複数回通過するようになっており、前記被処理流体を前記第１のタンクから前記第２のタンクへ流すための第１のラインと、前記被処理流体を前記第２のタンクから前記第１のタンクへ流すための第２のラインとを備え、前記複数の膜容器ユニットが、前記第１のラインにおいて並列に配設された第１のユニット群と、前記第２のラインにおいて並列に配設された第２のユニット群とに分割され、前記被処理流体が、前記第１のライン上の前記第１のユニット群を通って前記第１のタンクから前記第２のタンクへ流れ、前記第１のタンク内の前記被処理流体が空になった後に、前記被処理流体が、前記第２のライン上の前記第２のユニット群を通って前記第２のタンクから前記第１のタンクへ流れるようになっている。
【手続補正６】
【補正対象書類名】明細書
【補正対象項目名】００１８
【補正方法】変更
【補正の内容】
【００１８】
また、本発明の別の態様によれば、被処理流体から水を分離する脱水装置であって、水を分離する前の前記被処理流体を貯留する第１のタンクと、水を分離した後の前記被処理流体が流入する第２のタンクと、前記被処理流体から水を分離するための分離膜を有し、前記第１のタンクと前記第２のタンクとの間において前記被処理流体の流れ方向に沿って並列に配設された複数の膜容器ユニットとを備え、前記被処理流体が、前記第１のタンクと前記第２のタンクとの間を往復するように構成され、前記被処理流体が、前記複数の膜容器ユニットを複数回通過するようになっており、前記被処理流体を前記第１のタンクから前記第２のタンクへ流すための第１のラインと、前記被処理流体を前記第２のタンクから前記第１のタンクへ流すための第２のラインと、前記第１のタンクと前記第２のタンクとの間に配置され、前記第１のラインと前記第２のラインとの両方に接続された少なくとも１つの中間タンクとを備え、前記第１のラインが、前記中間タンクを間に挟むように複数の第１流体ラインに分割されるとともに、前記第２のラインが、前記中間タンクを間に挟むように複数の第２流体ラインに分割され、前記複数の膜容器ユニットが、前記第１流体ライン及び前記第２流体ラインの総数と同じ数のユニット群に分割され、前記複数の膜容器ユニットの各ユニット群は、前記第１及び第２流体ラインのそれぞれにおいて並列に配設され、前記被処理流体が、前記第１のライン上の各ユニット群と前記中間タンクとを順次通過して前記第１のタンクから前記第２のタンクへ流れ、前記被処理流体が、前記第２のライン上の各ユニット群と前記中間タンクとを順次通過して前記第２のタンクから前記第１のタンクへ流れるようになっており、前記第２のラインは、少なくとも１つのバイパスラインを備え、該バイパスラインは、前記第２のライン上のユニット群のうち１つ以上のユニット群を迂回して前記被処理流体を前記中間タンク又は前記第１のタンクへ戻すようになっている。